(57)【要約】【課題】ロックボルトの頭部に確実に防錆材を行き亘らせると共に、ナットにより締め付けた場合でもロックボルトの頭部から防錆材が剥がれないようにしたロックボルト用防錆キャップ及びロックボルトの頭部の防錆方法を提供すること。【解決手段】ロックボルト用防錆キャップ１は、地山に埋設されその表面から突出するロックボルトの頭部に被せる筒状で先端部が閉塞したもので、外側フィルム１１と少なくともその外側フィルム１１よりも破れ易い内側フィルム１２との２重構造からなり、かつ、その外側フィルム１１と内側フィルム１２との間には適宜間隔で接着され仕切られた密閉空間部１ａ〜１ｅが形成されており、それらの密閉空間部１ａ〜１ｅの全てまたはそれらの密閉空間部１ａ〜１ｅのうち少なくともロックボルトの周面に形成されたネジ節面に対応する密閉空間部１ａ，１ｃに防錆材７が封入される。【選択図】図１
2014159678.tif 000002
【特許請求の範囲】
【請求項１】
地山に埋設されその表面から突出するロックボルトの頭部に被せる筒状で先端部が閉塞したロックボルト用防錆キャップであって、外側フィルムと少なくともその外側フィルムよりも破れ易い内側フィルムとの２重構造からなり、かつ、その外側フィルムと内側フィルムとの間には適宜間隔で接着され仕切られた密閉空間部が形成されており、それらの密閉空間部の全てまたはそれらの密閉空間部のうち少なくともロックボルトの周面に形成されたネジ節面に対応する密閉空間部に防錆材が封入されていることを特徴とするロックボルト用防錆キャップ。
【請求項２】
請求項１記載のロックボルト用防錆キャップにおいて、
密閉空間部は、外側フィルムと内側フィルムとが、少なくともロックボルトの周方向に交互に設けられているネジ節面と平面との境界部に沿って接着され仕切られていることを特徴とするロックボルト用防錆キャップ。
【請求項３】
請求項１または請求項２記載のロックボルト用防錆キャップにおいて、
防錆材は、内側フィルムが破れ、密閉空間部からロックボルトの頭部に流れ出した後に硬化する特性を有した樹脂であることを特徴とするロックボルト用防錆キャップ。
【請求項４】
ロックボルトの頭部に、請求項１〜請求項３のいずれか一の記載のロックボルト用防錆キャップを被せると共に、そのロックボルト用防錆キャップの上からナットを螺合し、そのナットを最後に締め付けることにより、ロックボルト用防錆キャップの少なくとも内側フィルムを破り、密閉空間部内に封入された防錆材を流れ出させてロックボルトの頭部を防錆することを特徴とするロックボルトの頭部の防錆方法。
【請求項５】
請求項４記載のロックボルトの頭部の防錆方法において、
ロックボルトは、少なくともその頭部に、ロックボルト用防錆キャップの密閉空間部に封入された防錆材が予め被覆されたものであることを特徴とするロックボルトの頭部の防錆方法。
【発明の詳細な説明】
【技術分野】
【０００１】
本発明は、地山等に埋設されてその表面から突出し、ナットが螺合するロックボルトの頭部に被せるロックボルト用防錆キャップ、及びその防錆キャップを使用したロックボルトの頭部の防錆方法に関する。
【背景技術】
【０００２】
従来のロックボルトの防錆方法としては、例えば、ロックボルトの頭部の外周面にハケ等で防錆材を塗る方法や予め、樹脂等の防錆材を被覆させたロックボルトを用いる方法がある。また、ロックボルトの頭部にグリスを塗布し熱収縮性のフィルムを被せて、グリス層とフィルム層を形成させる防錆方法も提案されている（例えば、特許文献１参照。）。
【先行技術文献】
【特許文献】
【０００３】
【特許文献１】特許第４１７３５１１号公報
【発明の概要】
【発明が解決しようとする課題】
【０００４】
しかしながら、ロックボルトの頭部にハケ等で防錆材を塗る方法は、ナットを螺合する前に、防錆材を乾かす必要があり、作業工程が遅れてしまうという問題がある。また、予め、防錆材を被覆させたロックボルトを用いる方法では、ロックボルトの頭部にナットを螺合し、最後にトルクをかけてナットを締め付けた際に、被覆された防錆材がナットによって剥がれてしまい、ロックボルトの頭部において防錆効果が期待できない箇所ができてしまうという問題がある。これは、ハケ等で防錆材を塗る方法においても同様の問題が生じる。
【０００５】
一方、ロックボルトの頭部にグリス層とフィルム層を形成させる防錆方法は、ロックボルトの頭部防食部の外周面にハケ等によってグリスを塗布し、熱収縮を有するチューブ状のフィルムを被せて、そのフィルムに熱湯をかける等して熱収縮させることにより、ロックボルト本体に密着させてグリス層を保護するものであるが、隣り合うネジ節間にグリスが存在するために、必ずしものネジに沿ってチューブ状フィルムが密着するとは限らない。それにより、グリスが流れて被覆されていない部分が生じ、結果的にこの方法についても、防錆効果が期待できない箇所ができてしまうという問題がある。
【０００６】
そこで、本発明は、このような問題点に着目してなされたもので、ロックボルトの頭部における締め付け等の作業工程を遅らすことなく、その頭部を防錆材で被覆できると共に、予め防錆材を被覆したロックボルトの頭部にナットを螺合させた場合や最後にトルクをかけてナット締め付けた場合であっても、確実に防錆材が被覆され、防錆効果が期待できない箇所を生じさせないようにしたロックボルト用防錆キャップ、及びその防錆キャップを使用したロックボルトの頭部の防錆方法を提供することを目的とする。
【課題を解決するための手段】
【０００７】
上記目的を達成するため、本発明に係るロックボルト用防錆キャップは、地山に埋設されその表面から突出するロックボルトの頭部に被せる筒状で先端部が閉塞したロックボルト用防錆キャップであって、外側フィルムと少なくともその外側フィルムよりも破れ易い内側フィルムとの２重構造からなり、かつ、その外側フィルムと内側フィルムとの間には適宜間隔で接着され仕切られた複数の密閉空間部が形成されており、それら密閉空間部の全てまたはそれら密閉空間部のうち少なくともロックボルトの周面に形成されたネジ節面に対応する密閉空間部に防錆材が封入されていることを特徴とする。
ここで、密閉空間部は、外側フィルムと内側フィルムとが、少なくともロックボルトの周方向に交互にネジ節面と平面との境界に沿って接着され仕切られていると良い。
また、防錆材は、内側フィルムが破れ、密閉空間部からロックボルトの頭部に流れ出した後に硬化する特性を有する樹脂であるとさらに良い。
また、本発明に係るロックボルト用防錆キャップを使用したロックボルトの頭部の防錆方法では、ロックボルトの頭部に上述のいずれかのロックボルト用防錆キャップを被せると共に、そのロックボルト用防錆キャップの上からナットを螺合し、そのナットを最後に締め付けることにより、ロックボルト用防錆キャップの少なくとも内側フィルムを破り、密閉空間部内に封入された防錆材を流れ出させてロックボルトの頭部を防錆することを特徴とする。
ここで、ロックボルトは、少なくともその頭部に、ロックボルト用防錆キャップの密閉空間部に封入された防錆材が予め被覆されたものであると良い。
【発明の効果】
【０００８】
本発明に係るロックボルト用防錆キャップ及びその防錆キャップを使用したロックボルトの頭部の防錆方法によれば、外側フィルムと内側フィルムの間には適宜間隔で接着されて仕切られた密閉空間部が形成され、それら密閉空間部の全てまたはそれら密閉空間部のうち少なくともロックボルトのネジ節面に対応する密閉空間部に防錆材が封入されているため、ロックボルトの頭部に被せその上からナットを螺合して、最後に締め付けた際に少なくとも内側フィルムが破れて、密閉空間部からロックボルトの頭部全体に防錆材が流れ出すことから、防錆材を乾かすことなくナットが締め付けられ、作業工程を短縮することができる。さらに、予め防錆材を被覆したロックボルトであっても、その頭部にロックボルト用防錆キャップを被せてナットを螺合していくと、密閉空間部内でのみ防錆材が移動して、密閉空間部の端部に防錆材が溜まり、最後にトルクをかけてナットを締め付けることで内側フィルムが破れ、少なくともロックボルトのネジ節面に流れ出すことから、その締め付けの際に予め被覆されていた防錆材が剥がれてしまう箇所に流れ出した防錆材が被覆されるため、ロックボルトの頭部を確実に防錆することができる。
また、ロックボルト用防錆キャップは、筒状で先端部が閉塞されているため、ロックボルトの頭部に被せた状態でナットを螺合しても、ロックボルト用防錆キャップがナットに押されてずり下がることなどなく、常にロックボルトの頭部に被さった状態であることから、確実に防錆効果を発揮させることができる。
【図面の簡単な説明】
【０００９】
【図１】（ａ）〜（ｅ）それぞれ本発明に係るロックボルト用防錆キャップの一例を示す正面図、側面図、平面図、底面図、Ａ−Ａ線拡大断面図である。
【図２】頭部を突出させた状態で地山に埋設したロックボルトの状態を示す断面図である。
【図３】地山から突出したロックボルトの頭部にロックボルト用防錆キャップを被せた状態を示す断面図である。
【図４】地山から突出したロックボルトの頭部にロックボルト用防錆キャップを介してナットを螺合させた状態を示す断面図である。
【図５】ロックボルトにナットを螺合した際の防錆材の溜まり状態等を示す部分拡大断面図である。
【発明を実施するための形態】
【００１０】
次に、本発明に係る実施形態のロックボルト用防錆キャップ１、及びその防錆キャップ１を使用したロックボルトの頭部の防錆方法について図面を参照して説明する。
【００１１】
まず、本発明に係る実施形態のロックボルト用防錆キャップ１について、図１を参照して説明する。
【００１２】
本発明に係るロックボルト用防錆キャップ１は、図１（ａ）〜（ｅ）に示すようにロックボルト２の頭部に被せる筒状（チューブ状）でかつ先端部が閉塞したもので、外側フィルム１１と内側フィルム１２の２重構造からなっている。そして、内側フィルム１２は、少なくとも外側フィルム１１よりも破れ易くなっている。また、その外側フィルム１１と内側フィルム１２との間を適宜間隔で接着することにより複数の接着部１３を設け、接着部１３によって仕切られた密閉空間部１ａ〜１ｅを設けている。
【００１３】
ここで、ロックボルト用防錆キャップ１は、後述する図２や図３に示すように長手方向にネジ節が設けられた一対のネジ節面２ａ，２ｃと面一な一対の平面２ｂ，２ｄとが周方向に交互に設けられたネジ節鉄筋からなるロックボルト２の頭部に被せる。そのため、ロックボルト用防錆キャップ１の接着部１３は、ロックボルト２のネジ節面２ａ，２ｃと平面２ｂ，２ｄとの境界部に沿って接着され、図１（e）に示すように密閉空間部１ａ，１ｃがロックボルト２のネジ節面２ａ，２ｃに対向するように密閉空間部１ａ〜１ｅを設けている。また、ロックボルト用防錆キャップ１を筒状にするため、その左右どちらか一方の端部を接着して接着部１４を設けている。なお、ロックボルト２は、その表面に予め防錆材が被覆されたもので、また被覆されていないものでもどちらでも良く、特段、限定されるものではない。
【００１４】
そして、防錆材７は、少なくともロックボルト２の一対のネジ節面２ａ，２ｃにそれぞれ対向する密閉空間部１ａ，１ｃに封入している。これは、後述するように防錆材８が被覆されているロックボルト２の場合、そのロックボルト２の頭部にナット６を螺合し、最後にトルクをかけてナット６を締め付けた際に、ロックボルト２のネジ節面２ａ，２ｃのネジ山とナット６のネジ溝とが押し潰されて締め付けられることで、ネジ節面２ａ，２ｃに被覆された防錆材８が剥がれる箇所を防錆材７で被覆するためである。なお、防錆材８が被覆されていない場合には、最後にナット６を締め付けた際でも予め被覆された防錆材８が剥がれるようなことは起きず、ロックボルト２の頭部全体が防錆材７で被覆されれば良いため、防錆材７は、ロックボルト２の一対のネジ節面２ａ，２ｃにそれぞれ対向する密閉空間部１ａ，１ｃに封入するだけでなく、全ての密閉空間部１ａ〜１ｅに封入したほうが良い。また、ロックボルト２のネジ節面２ａ，２ｃに確実に防錆材７を被覆させるため、ロックボルト用防錆キャップ１の長手方向の長さＬは、少なくともナット６の内側の雌ネジ穴の長さ（奥行き）とほぼ同等にすることが望ましい。
【００１５】
防錆材７の種類は、特にこだわらないが、ロックボルト用防錆キャップ１の内側フィルム１２が破れ、密閉空間部１ａ，１ｃからロックボルト２の頭部に流れ出した後に空気に触れて硬化する特性を有した樹脂が最適であり、例えば、ポリビニルブチラール樹脂（ＰＶＢ）やエポキシ樹脂を使用する。また、防錆材７は、ロックボルト２に予め被覆された防錆材８が剥がされた箇所を被覆することから、その防錆材８と同じ種類が好ましい。
【００１６】
また、ロックボルト用防錆キャップ１の外側フィルム１１と内側フィルム１２の材質としては、最後にナット６を締め付けるまで破れないものであれば何を採用しても構わないが、ポリプロピレン等の樹脂が強度的にもコスト的にも好ましい。なお、内側フィルム１２を外側フィルム１１よりも先に破れ易くするためには、厚さが薄いものや強度が弱い材質などを用いれば良い。これにより、ロックボルト２の頭部に被せその上からナット６を螺合している時には、外側フィルム１１によって、ロックボルト２のネジ節面２ａ，２ｃとナット６のネジ溝との間に挟まれた状態であっても内側フィルム１２が破れるのを防ぎ、最後にトルクをかけてナット６を締め付けた際に、ネジ節面２ａ，２ｃとのナット６のネジ溝とが押し潰されることによって内側フィルム１２が外側フィルム１１よりも先に破れ、ナット６のネジ溝ではなくロックボルト２の一対のネジ節面２ａ，２ｃのほうに流れ出し、確実に防錆材７を被覆することができる。なお、外側フィルム１１と内側フィルム１２を同じ材質、同じ厚さにしても、最後にナット６を締め付けた際にそれら両方フィルムが同時に破れ、ネジ節面２ａ，２ｃにも防錆材７が被覆されることから、少なくとも外側フィルム１１が内側フィルム１２よりも先行して破れなければ良い。
【００１７】
次に、本発明に係るロックボルト用防錆キャップ１を使用したロックボルト２の防錆方法について説明する。なお、この実施形態では、図２に示すように、長手方向に一対のネジ節面２ａ，２ｃと、面一な一対の平面２ｂ，２ｄとが周方向に交互に設けられたネジ節鉄筋で、少なくともその頭部には予め、防錆材８が被覆されたロックボルト２を用いる方法を一例に説明する。
【００１８】
まず、ロックボルト２は、例えば、図２に示すように地山３に形成された穿孔３１に挿入され、その周囲に注入されたグラウト材３２によって地山３に埋設されている。
【００１９】
そのため、地山３から突出するロックボルト２の頭部（突出部分）に、図３に示すようにロックボルト用防錆キャップ１を被せる。
【００２０】
その際、本発明に係るロックボルト用防錆キャップ１は、筒状で先端部が閉塞されているため、ロックボルト２の頭部に被せた状態でナット６を螺合しても、ロックボルト用防錆キャップ１がナット６に押されてずり下がることがなく、ロックボルト２の頭部に被さった状態であることから確実に防錆効果を発揮することができる。また、ロックボルト用防錆キャップ１の密閉空間部１ａ，１ｃの中に封入された防錆材７を予めロックボルト２の頭部に被覆された防錆材８と同じものにすることでロックボルト２の頭部を確実に被覆することができる。
【００２１】
その後、図４に示すようにロックボルト用防錆キャップ１を被せたロックボルト２の頭部を支圧板４および座金５を介してナット６を螺合させて締めていく。
【００２２】
ここで、ロックボルト２にはネジ節鉄筋を用いるため、その面一な一対の平面２ｂ，２ｄとナット６の雌ネジ穴の内周面との間には空間が形成され、ネジ節とネジ溝との間にはガタ（間隔）が存在する。よって、ロックボルト用防錆キャップ１をロックボルト２の頭部に被せその上からナット６を螺合させていくと、空間やガタ（間隔）にロックボルト用防錆キャップ１が入り込んでいく。そして、ロックボルト用防錆キャップ１の密閉空間部１ａ，１ｃの中に封入されている防錆材７は流体であるため、図５に示すように、ロックボルト２にナット６を締め付けていくとロックボルト２のネジ節面２ａ，２ｃがナット６のネジ溝との螺合によって一方側に寄って行く。しかし、防錆材７はロックボルト２の一対のネジ節面２ａ，２ｃにそれぞれ対向する密閉空間部１ａ，１ｃ内に封入されているため、ロックボルト２の一対の平面２ｂ，２ｄにそれぞれ対向する密閉空間部１ｂ，１ｄ，１ｅまで移動することはなく、密閉空間部１ａ，１ｃの一方側の接着部分１３の周囲にほぼ集まって、図５の網掛け部分１５に示すように溜まることになる。
【００２３】
そして、最後に作業者がトルクをかけてナット６をロックボルト２に強固に締め付けた際には、ロックボルト２のネジ節面２ａ，２ｃとナット６のネジ溝によってその間にあたる密閉空間部１ａ，１ｃが押し潰されることで、防錆材７が溜まった箇所（図５の網掛け部分１５）を破裂させて内側フィルム１２が破れる。
【００２４】
すると、密閉空間部１ａ，１ｃ内の接着部分１３の周囲に集められ溜まっていた防錆材７や、接着部分１３の周囲に集まらず密閉空間部１ａ，１ｃ内に分散していた防錆材７がその破れた内側フィルム１２から流れ出して、ロックボルト２の一対のネジ節面２ａ，２ｃを被覆する。
【００２５】
そして、防錆材７は、空気に触れて硬化する特有を有しているため、被覆された防錆材７がそれら螺合部分で硬化しナット６を締め付けた際に防錆材８が剥がれてしまったネジ節面２ａ，２ｃを確実に被覆して防錆する。
【００２６】
なお、従来技術の問題点として示した、最後にトルクをかけてナット６を締め付けた際に被覆されていた防錆材８が剥がれる部分とは、主にロックボルト２のネジ節面２ａ，２ｃにおけるネジ節の谷底からネジ山に向かう境界部とその境界部からネジ山に向かう面である（図５における太点線部分１６）。しかし、本実施形態の防錆材７は、ロックボルト用防錆キャップ１から流れ出して空気に触れて硬化する特性を有しているため、防錆材８が剥がれるこの太点線部分１６にも内側フィルム１２が破れるのと同時に防錆材７が被覆される。よって、従来技術では防錆材８が剥がれ易い部分であっても、本発明のロックボルト用防錆キャップ１によれば、確実に被覆して防錆することができる。
【００２７】
以上説明したように、このロックボルト用防錆キャップ１及びその防錆キャップ１を使用したロックボルト２の頭部の防錆方法によれば、ロックボルト用防錆キャップ１には外側フィルム１１と内側フィルム１２の間には適宜間隔で接着されて仕切られた密閉空間部１ａ〜１ｅが形成されており、それらの密閉空間部１ａ〜１ｅのうち少なくともロックボルト２のネジ節面２ａ，２ｃに対応する密閉空間部１ａ，１ｃに防錆材７を封入したため、ロックボルト２の頭部に被せその上からナット６を螺合し、最後にトルクをかけてナット６を締め付けた際に、内側フィルム１２が破れ、ロックボルト２のネジ節面２ａ，２ｃに流れ出して、締め付けの際に予め被覆されていた防錆材８が剥がれてしまった箇所などに確実に防錆材７を被覆させて防錆することができる。また、ロックボルト２の頭部にハケなどを使用して防錆材７を塗ることなく簡単に被覆することができる。
【００２８】
また、このロックボルト用防錆キャップ１では、筒状で先端部が閉塞しているため、ロックボルト２の頭部に被せた状態でナット６を螺合しても、ロックボルト用防錆キャップ１がナット６に押されてずり下がることなどがなく、常にロックボルト２の頭部に被さった状態であることから、防錆材７を被覆するべき箇所において、内側フィルム１２が破れ、ロックボルト２のネジ節面２ａ，２ｃに確実に防錆材７を被覆して防錆効果を発揮させることができる。
【００２９】
また、防錆材７として、密閉空間部１ａ，１ｃからロックボルト２の頭部に流れ出した後に空気に触れて硬化する特性を有したポリビニルブチラール樹脂（ＰＶＢ）やエポキシ樹脂等を使用しているため、少なくともロックボルト２の頭部のネジ節面２ａ，２ｃを確実に被覆して防錆することができる。
【００３０】
なお、上記実施形態の説明では、ロックボルト２として、一対のネジ節面２ａ，２ｃと面一な一対の平面２ｂ，２ｄとが周方向に交互に設けられたネジ節鉄筋を一例に説明したが、本発明では、これに限定されるものではなく、外周面の全周に亘ってネジ節が形成されたネジ節鉄筋でも適用可能である。なお、この場合には、ロックボルト用防錆キャップ１の全ての密閉空間部１ａ〜１ｅに防錆材７を封入することになる。
【００３１】
また、上記実施形態では、新設されたロックボルト２の頭部にロックボルト用防錆キャップ１を被せて、その上からナット６を締め付ける例を挙げて説明したが、既設のロックボルト２の頭部にも本発明を適用させることが可能である。この場合、既に締め付けられているナット６を取り外して、ロックボルト２の頭部を露出させた状態にしたうえで本発明のロックボルト用防錆キャップ１をその頭部に被せ、再度取り外したナット６を締め付ければよい。
【符号の説明】
【００３２】
１…ロックボルト用防錆キャップ、１ａ〜１ｅ…密閉空間部、１１…外側フィルム、１２…内側フィルム、１３，１４…接着部、２…ロックボルト、２ａ，２ｃ…ネジ節面、２ｂ，２ｄ…平面、３…地山、３１…穿孔、３２…グラウト材、４…支圧板、５…座金、６…ナット、７，８…防錆材。
【図１】
2014159678.tif 000003
【図２】
2014159678.tif 000004
【図３】
2014159678.tif 000005
【図４】
2014159678.tif 000006
【図５】
2014159678.tif 000007